【事件の表示】
　特許第３０９３４３６号「通信装置」の請求項１ないし３に係る特許に対する特許異議の申立てについて、次のとおり決定する。
【結　論】
　特許第３０９３４３６号の請求項１ないし３に係る特許を取り消す。
【理　由】
１．手続の経緯
　特許第３０９３４３６号の請求項１乃至３に係る発明についての出願は、平成４年５月２２日に特許出願され、平成１２年７月２８日にその発明について特許権の設定登録がなされ、その後、その特許について、特許異議申立人金森英彦より特許異議の申し立てがなされ、取消しの理由が通知され、その指定期間内である平成１３年１０月２２日に訂正請求がされた後、訂正拒絶理由が通知され、平成１４年１月８日に手続補正が提出されたものである。
　
２．訂正の適否についての判断
ア．訂正請求に対する補正の適否について
　特許権者は、平成１４年１月８日付けの手続補正書で、訂正請求書の「送信元情報」を「送信端末識別信号」と補正しているが、当該訂正請求に対する補正は、訂正請求書の要旨を変更するものであるから、特許法第１２０条の４第３項において準用する同法第１３１条第２項の規定に適合しないので、当該補正は認められない。
（「訂正事項の追加は、特許請求の範囲の減縮に該当するが訂正請求書の要旨を変更するものであって、特許法第１３１条第２項で認められない補正である」とする東京高裁判決平成８年（行ケ）第２２２号、または特許庁のホームページ審判情報「訂正の補正に関する運用変更のお知らせ」を参照。）
　
イ．訂正の内容
　平成１３年１０月２２日付けの訂正請求書において、特許権者が求めている訂正の内容は、以下のとおりである。
（１）訂正事項ａ
　同明細書中の特許請求の範囲（請求項１〜３）を、もとの請求項１、２を削除し、以下請求項を繰り上げ「請求項１」を記載する特許請求の範囲に訂正する。
（２）訂正事項ｂ
　同明細書中の特許請求の範囲の請求項３を、上記訂正事項ａにより、請求項１に訂正するとともに、同請求項中の「複数の特定の送信元から受信するファクシミリ装置において、音楽を鳴らす音楽出力手段と、受信時、送信元を識別する送信元識別手段と、前記複数の送信元にそれぞれ対応する複数種類の音楽を記憶し、これらの音楽の中から、送信元識別手段により識別された送信元に対応する音楽を選択して音楽出力手段に鳴らさせる音楽選択制御手段と、を有することを特徴とするファクシミリ装置。」を、
「複数の特定の送信元から受信するファクシミリ装置において、音楽を鳴らす音楽出力手段と、受信時、相手先に関する情報から送信元情報の存在の有無を確認し、送信元情報がある場合には、その送信元情報が予め登録されている相手先のものか否かを確認する送信元識別手段と、前記複数の送信元にそれぞれ対応する複数種類の音楽を記憶し、これらの音楽の中から、送信元識別手段により予め登録されている相手先に対応する音楽を選択して音楽出力手段に鳴らさせる音楽選択制御手段とを有することを特徴とするファクシミリ装置。」と訂正する。
（３）訂正事項ｃ
　同明細書を本件訂正請求書に添付の訂正明細書の通り、
すなわち、
ａ）　同明細書中の発明の名称「通信装置」を、「ファクシミリ装置」と訂正する。
ｂ）　同明細書中の段落番号【０００１】の「本発明は、電話機、ファクシミリ　装置、等の通信装置に関する。」を、「本発明は、ファクシミリ装置に関する。」と訂正する。（訂正明細書中の段落番号【０００１】）
ｃ）　同明細書中の段落番号【０００６】の「そこで、請求項１記載の発明は、このファクシミリ装置等の通信装置が発生する耳障りな音をその通信装置の周囲にいる人達に聞かせる替わりに、もっと聞いて気持ちの良くなるような音すなわ　ち音楽を聞かせることにより、上記１つ目の問題点を解消することを課題としている。
　また、請求項２記載の発明は、メモリー送信時、発信人に対応した音楽を鳴らすことにより、上記２つ目の問題点を解消することを課題としている。」を、「そこで、請求項１記載の発明は、特定の送信元からの電文の受信を待っている受　取人が、ファクシミリ装置の近くに行かなくても希望している相手先からの電文受信を音楽により認識することができるため、確認のための手間や煩わしさを大幅に削減することができるファクシミリ装置を提供するものである。」と訂正する。（訂正明細書中の段落番号【０００９】）
ｄ）　同明細書中の段落番号【０００７】の「さらに、請求項３記載の発明は、・・・を提供するものである。」を、削除する。
ｅ）　同明細書中の段落番号【０００８】の
「【課題を解決するための手段】
　請求項１記載の発明は、上記課題を解決するため、複数の制御モードの中から選択された制御モードが実行される通信装置において、音楽を鳴らす音楽出力手段と、実行中の制御モードを識別するモード識別手段と、前記複数の制御モードにそれぞれ対応する複数種類の音楽を記憶し、これらの音楽の中から、モード識別手段により識別された制御モードもこ対応する音楽を選択して音楽出力手段に鳴らさせる音楽選択制御手段と、を有することを特徴としている。」を、
「【課題を解決するための手段】
　請求項１記載の発明は、上記課題を解決するため、複数の特定の送信元から受信するファクシミリ装置において、音楽を鳴らす音楽出力手段と、受信時、相手先に関する情報から送信元情報の存在の有無を確認し、送信元情報がある場合には、その送信元情報が予め登録されている相手先のものか否かを確認する送信元識別手段と、前記複数の送信元にそれぞれ対応する複数種類の音楽を記憶し、これらの音楽の中から、送信元識別手段により予め登録されている相手先に対応する音楽を選択して音楽出力手段に鳴らさせる音楽選択制御手段とを有することを特徴としている。」と訂正する。（訂正明細書中の段落番号【００１０】）。
ｆ）　同明細書中の段落番号【０００９】の「請求項２記載の発明は、・・・特徴としている。」を、削除する。
ｇ）　同明細書中の段落番号【００１０】の「請求項３記載の発明は、・・・特徴としている。」を、削除する。
ｈ）　同明細書中の段落番号【００１１】の
「【作用】
　請求項１記載の発明では、複数種類の音楽の中から、実行中の制御モードもこ対応する音楽が選択され鳴らされる。
　請求項２記載の発明では、メモリー送信時、複数種類の音楽の中から発信人に対応する音楽が選択されて鳴らされる。」を、
「【作用】
　請求項１記載の発明では、受信時、複数種類の音楽の中から、送信元に対応する音楽が選択されて鳴らされる。」訂正する。（訂正明細書中の段落番号【００１１】）。
ｉ）　同明細書中の段落番号【００１２】の「請求項３記載の・・・鳴らされる。」を、削除する。
ｊ）　同明細書中の段落番号【００１３】の
「【実施例】
　以下、本発明を図面に基づいて説明する。
　図１は請求項１記載の発明に係る通信装置（ファクシミリ装置）の一実施例を示す図である。まず、構成を説明する。」を、「図１は請求項１記載の発明に係るファクシミリ装置の基本原理を示す図である。」と訂正する。（訂正明細書中の段落番号【００１３】）。
ｋ）　同明細書中の段落番号【００１５】の「本実施例においては、送信モード、」を、「本例においては、送信モード、」と訂正する。（訂正明細書中の段落番号【００１６】）。
１）　同明細書中の段落番号【００１８】の「上述のように本実施例では、」を、「上述のように本例では、」と訂正する。（訂正明細書中の段落番号【００２１】）。
ｍ）　同明細書中の段落番号【００１９】の「図６は請求項２記載の発明に係る通信装置（ファクシミリ装置）の一実施例のメモリー送信フローを示す図である。なお、本実施例のファクシミリ装置のブロック構成は、図１に示す上述の実施例と同一であるため、その図示および構成の説明は省略する。また、本実施例におけるファクシミリ装置は、メモリ送信が可能で、複数の特定の発信人により発信操作がなされる装置であり、図１のスピーカー８が、音楽を鳴らす音楽出力手段を構成し、ＳＣＵ１が、メモリ送信時、発信人を識別する発信人識別手段を構成する。音楽制御部６は、複数の発信人にそれぞれ対応する複数種類の音楽を記憶し、これらの音楽の中から、発信人識別手段により識別された発信人に対応する音楽を選択して音楽出力手段に鳴らさせる音楽選択制御手段を構成する。」を、「図６はファクシミリ装置のメモリー送信フローを示す図である。なお、本例のファクシミリ装置のブロック構成は、図１に示す上述の例と同一であるため、その図示および構成の説明は省略する。また、本例におけるファクシミリ装置は、メモリ送信が可能で、複数の特定の発信人により発信操作がなされる装置であり、図１のスピーカー８が、音楽を鳴らす音楽出力手段を構成し、ＳＣＵ１が、メモリ送信時、発信人を識別する発信人識別手段を構成する。音楽制御部６は、複数の発信人にそれぞれ対応する複数種類の音楽を記憶し、これらの音楽の中から、発信人識別手段により識別された発信人に対応する音楽を選択して音楽出力手段に鳴らさせる音楽選択制御手段を構成する。」と訂正する。（訂正明細書中の段落番号【００２２】）。
ｎ）　同明細書中の段落番号【００２２】の「上述のように本実施例では、」と、「上述のように本例では、」と訂正する。（訂正明細書中の段落番号【００２７】）。
ｏ）　同明細書中の段落番号【００２３】の「図７は請求項３記載の発明に係る通信装置（ファクシミリ装置）の−実施例の受信フローを示す図である。なお、本実施例のファクシミリ装置のブロック構成は、図１に示す前述の実施例と同一であるため、その図示および構成の説明は省略する。また、本実施例におけるファクシミリ装置は、複数の特定の送信元から受信する装置である。また、図１のスピーカー８が、音楽を鳴らす音楽出力手段を構成し、ＳＣＵＩが、受信時、送信元を識別する送信元識別手段を構成する。音楽制御手段７は、複数の送信元にそれぞれ対応する複数種類の音楽を記憶し、これらの音楽の中から、送信元識別手段により識別された送信元に対応する音楽を選択して音楽出力手段に鳴らさせる音楽選択制御手段を構成する。」を、「図７は請求項１記載の発明に係るファクシミリ装置の一実施例の受信フローを示す図である。なお、本実施例のファクシミリ装置のブロック構成は、図１に示す前述の例と同一であるため、その図示および構成の説明は省略する。また、本実施例におけるファクシミリ装置は、複数の特定の送信元から受信する装置である。また、図１のスピーカー８が、音楽を鳴らす音楽出力手段を構成し、ＳＣＵ１が、受信時、送信元を識別する送信元識別手段を構成する。音楽制御手段７は、複数の送信元にそれぞれ対応する複数種類の音楽を記憶し、これらの音楽の中から、送信元識別手段により識別された送信元に対応する音楽　を選択して音楽出力手段に鳴らさせる音楽選択制御手段を構成する。」と訂正する。（訂正明細書中の段落番号【００２８】）。
ｐ）　同明細書中の段落番号【００２５】の「なお、上述の各実施例としてファクシミリ装置をとりあげたが、電話機等、他の通信装置に本発明を適用することも可能である。」を、削除する。
ｑ）　同明細書中の段落番号【００２６】の
「【発明の効果】
　請求項１記載の発明によれば、実行中の各制御モードに対応した音楽が鳴らされるので、機械音によって業務が中断させられるようなことがなくなり、また、通信装置（例えば、ファクシミリ装置等）が動作中であること、あるいは、動作状態が通信装置の近くにいない人にもよく分かり、通信装置が設置されているオフィス内にいる人の仕事の効率を向上することができる。」を、
「【発明の効果】
　請求項１記載の発明によれば、特定の送信元からの電文の受信を待っている受取人が、ファクシミリ装置の近くに行かなくても希望している相手先からの電文受信を音楽により認識することができるため、確認のための手間や煩わしさを大幅に削減することができる。」と訂正する。
ｒ）　同明細書中の「図面の簡単な説明」
「【図１】
　請求項１記載の発明に係る通信装置（ファクシミリ装置）の一実施例を示すブロック図である。
　【図２】
　図１の装置の制御モードを判別するフローを示す図である。
　【図３】
　図２の結合子Ａに続くフローを示す図である。
　【図４】
　図２の結合子Ｂに続くフローを示す図である。
　【図５】
　図２の結合子Ｃに続くフローを示す図である。
　【図６】
　請求項２記載の発明に係る通信装置（ファクシミリ装置）の一実施例のメモリー送信フローを示す図である。
　【図７】
　請求項３記載の発明に係る通信装置（ファクシミリ装置）の一実施例の受信フローを示す図である。
　【符号の説明】
　１　システムコントロールユニット（モード識別手段、発信人識別手段、送信元識別手段）
　６　音楽制御部（音楽選択制御手段）　
　８　スピーカー（音楽出力手段）」を、
「【図１】　
　ファクシミリ装置の基本原理を示すブロック図である。
　【図２】　
　図１の装置の制御モードを判別するフローを示す図である。
　【図３】　
　図２の結合子Ａに続くフロ−を示す図である。
　【図４】　
　図２の結合子Ｂに続くフローを示す図である。
　【図５】　
　図２の結合子Ｃに続くフローを示す図である。
　【図６】　
　ファクシミリ装置のメモリー送信フローを示す図である。
　【図７】　
　請求項１記載の発明に係るファクシミリ装置の一実施例の受信フ　ローを示す図である。
　【符号の説明】　
　１　システムコントロールユニット（送信元識別手段）　
　６　音楽制御部（音楽選択制御手段）　
　８　スピーカー（音楽出力手段）」と訂正する。
　
ウ．訂正の目的の適否、新規事項の有無及び拡張・変更の存否
　上記訂正事項ｂによると、
　同明細書中の特許請求の範囲の請求項３を、上記訂正事項ａにより、請求項１に訂正するとともに、同請求項中の「複数の特定の送信元から受信するファクシミリ装置において、音楽を鳴らす音楽出力手段と、受信時、送信元を識別する送信元識別手段と、前記複数の送信元にそれぞれ対応する複数種類の音楽を記憶し、これらの音楽の中から、送信元識別手段により識別された送信元に対応する音楽を選択して音楽出力手段に鳴らさせる音楽選択制御手段と、を有することを特徴とするファクシミリ装置。」を、
「複数の特定の送信元から受信するファクシミリ装置において、音楽を鳴らす音楽出力手段と、受信時、相手先に関する情報から送信元情報の存在の有無を確認し、送信元情報がある場合には、その送信元情報が予め登録されている相手先のものか否かを確認する送信元識別手段と、前記複数の送信元にそれぞれ対応する複数種類の音楽を記憶し、これらの音楽の中から、送信元識別手段により予め登録されている相手先に対応する音楽を選択して音楽出力手段に鳴らさせる音楽選択制御手段とを有することを特徴とするファクシミリ装置。」と訂正することを求めるものである。
　しかしながら、「送信元情報」は、願書に添付した明細書又は図面に記載されておらず、かつ、これからから、当業者が直接的かつ一義的に導き出せる事項でもない。
　すなわち、願書に添付した明細書では、【００２４】段落では、「Ｓ１で、受信があると、Ｓ２で、ＳＣＵ１は、受信時通信制御部７から通知された相手機に関する情報から、例えば送信端末識別信号ＴＳＩ（Ｔｒａｎｓｍｉｔｔｉｎｇ　Ｓｕｂｓｃｒｉｂｅｒ　Ｉｄｅｎｔｉｆｉｃａｔｉｏｎ）を検索し、その存在の有無をチェックする。なお、このＴＳＩは、操作部９から操作によりメモリ部に登録される。ＴＳＩがある場合は、Ｓ３で、そのＴＳＩが、予め登録された相手先のものか否かをチェックする。」と記載されるだけで、送信元情報とは記載されていない。
　また、送信元情報には、送信端末識別信号が含まれていることは認められるが、送信端末識別信号以外にも、取消理由通知書で示した刊行物６に記載された、パスワード等も含まれるし、さらに、送信端末以外にも、送信者の情報も含まれるものと認められる。
　したがって、訂正事項ｂは、願書に添付した明細書又は図面の範囲内においてした訂正ではなく、また、特許請求の範囲を減縮した訂正でもない。
　
エ．むすび
　以上のとおりであるから、当該訂正は、特許法第１２０条の４第３項において準用する同第１２６条第２項の規定に適合しないので、当該訂正は認められない。
　
３．特許異議申立について
ア．本件発明
　特許第３０９３４３６号の請求項１〜３に係る発明は、特許請求の範囲の請求項１〜３に記載された事項により特定される次のとおりのものである。
「【請求項１】複数の制御モードの中から選択された制御モードが実行される通信装置において、
音楽を鳴らす音楽出力手段と、
実行中の制御モードを識別するモード識別手段と、
前記複数の制御モードにそれぞれ対応する複数種類の音楽を記憶し、これらの音楽の中から、モード識別手段により識別された制御モードに対応する音楽を選択して音楽出力手段に鳴らさせる音楽選択制御手段と、を有することを特徴とする通信装置。
【請求項２】メモリー送信が可能で、複数の特定の発信人により発信操作がなされる通信装置において、
音楽を鳴らす音楽出力手段と、
メモリー送信時、発信人を識別する発信人識別手段と、前記複数の発信人にそれぞれ対応する複数種類の音楽を記憶し、これらの音楽の中から、発信人識別手段により識別された発信人に対応する音楽を選択して音楽出力手段に鳴らさせる音楽選択制御手段と、を有することを特徴とする通信装置。
【請求項３】複数の特定の送信元から受信する通信装置において、
音楽を鳴らす音楽出力手段と、
受信時、送信元を識別する送信元識別手段と、
前記複数の送信元にそれぞれ対応する複数種類の音楽を記憶し、これらの音楽の中から、送信元識別手段により識別された送信元に対応する音楽を選択して音楽出力手段に鳴らさせる音楽選択制御手段と、を有することを特徴とする通信装置。」
　
イ．申立の理由の概要
　異議申立人金森英彦は、本件請求項１〜３に係る発明についての特許に対して、証拠として甲第１号証（特開平３−１９５１７１号公報）、甲第２号証（特開平４−４２６４７号公報）、甲第３号証（特開平５−３２７９５７号公報）を提出し、本件請求項１〜３に係る発明の特許は特許法第２９条第２項の規定に違反してなされたものであり、本件請求項１〜３に係る発明についての特許を取り消すべき旨主張している。
　
ウ．引用刊行物記載の発明
　当審が通知した取消の理由に引用された刊行物１（特開平５−３２７９５７号公報）は、本件特許出願の公開公報である。
　刊行物２（実願平２−５２４４０号（実開平４−１２７４８号）の願書に添付された明細書および図面の内容を撮影したマイクロフィルム）には、制御モードに応じてメロディー音を変化させることが記載されている。
　刊行物３（特開平３−１０７２７０号公報）、刊行物４（実願平２−５７４９７号（実開平４−１９８６１号）の願書に添付された明細書および図面の内容を撮影したマイクロフィルム）、刊行物５（実願昭６３−１１１８７２号（実開平２−３５５６４号）の願書に添付された明細書および図面の内容を撮影したマイクロフィルム）には、ファクス送信時、受信時にメロディーを出力することが記載されている。
　刊行物６（特開平１−３１６０５８号公報）には、送信元に対応してメロディーを選択することが記載されている。
　刊行物７（特開平３−１９５１７１号公報）には、送信装置から受けた送信装置の加入者番号に応じて異なるメロディーを受信中に出力することが記載されている。
　また、刊行物８（特開平４−４２６４７号公報）には、相手先確認機能付き電話機において、通話を開始する以前に相手先に応じたメロディーを流すことが記載されている。
　　尚、平成１１年３月２９日付け手続補正書による補正は、「ファクシミリ装置」を「通信装置」と補正し、「ファクシミリ装置に関する。」を「電話機、ファクシミリ装置、等の通信装置に関する。」と補正するものであるが、本件出願時の願書に添付した明細書又は図面には「電話機、等の通信装置」に関する記載はなく、また、自明のことでもないから、この補正は本件発明の要旨を変更するものであるから、本件出願は補正書を提出した時にしたものとみなす。
　
エ．対比・判断
　請求項１〜３に係る発明と、刊行物１とを比較すると、本件発明が通信装置であるのに対して、刊行物１のものはファクシミリ装置である点で相違するが、ファクシミリ装置も通信装置の一種であり、ファクシミリ装置から通信装置を考えるのは当業者が容易に推考することができることである。
　したがって、請求項１〜３に係る発明は、刊行物１に記載された発明に基づいて当業者か容易に発明をすることができたものである。
　よって、本件請求項１〜３に係る発明の特許は、特許法第２９条第２項の規定に違反してなされたものである。
　
オ．むすび
　　以上のとおり，本件請求項１乃至３に係る発明は上記刊行物１に記載された発明に基いて当業者が容易に発明をすることができたものであるから、本件請求項１乃至３に係る発明の特許は、特許法第２９条第２項の規定により特許を受けることができない。
　したがって、本件請求項１乃至３に係る発明についての特許は拒絶の査定をしなければならない特許出願に対してされたものと認める。
　よって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
（なお、本件発明を、出願日の遡及を認めないことにより、本件発明の公開公報から容易の判断をしているが、もちろん、本件請求項１〜３に係る発明は、刊行物２〜８に記載された発明からも、当業者が容易に考えられるものである。
　さらに、特許権者が、平成１４年１月８日付けで提出した、補正案についても検討すると、この補正案の請求項１に係る発明と、刊行物８（特開平４−４２６４７号公報）とを比較すると、補正案においては、送信端末識別信号の存在の有無を確認し、ある場合にはその送信端末識別信号が予め登録された相手先のものかどうかを確認し、登録されているものであればその相手先に対応する音楽を選択するのに対して、刊行物８では、相手先の電話番号を検出し、相手先の電話番号が予め登録された相手先のものかそれ以外の電話番号かを判断して、登録されている電話番号であればその相手先に対応するメロディーを選択する点で相違しているが、しかし、電話番号に替えて送信端末識別信号を用いることは当業者が容易に考えられることと認められるから、補正案のように補正したとしても、本件発明は、引用刊行物８より当業者が容易に考えられるものである。）
【異議決定日】
平成１４年１月２３日（２００２．１．２３）